(57)【要約】【課題】載置台に流動物が充填されたパウチを横臥状に載置すると共にパウチの下辺部を挟着機構により挟着し、往復移動機構により絞出ロールを移動し、絞出作動機構により絞出ロールがパウチの下辺部から上辺部に向かう前進移動時に絞出ロールをパウチの上面に押圧してパウチ内の流動物をしごくようにして絞出口から絞り出し、絞出完了後に移動機構により絞出ロールをパウチの上辺部から下辺部に向かって後退動作し、絞り出し作業性を高めることができる。【解決手段】パウチＷを載置台１に横臥状に載置し、上面を絞出ロール３により載置台に向けて押圧しながらパウチの下辺部Ｗ1から絞出口が形成された上辺部Ｗ2に向けて前進移動させてパウチ内に充填された流動物Ｆを絞り出し、絞出ロールをパウチの上面から離反させた状態でパウチの上辺部から下辺部に向けて後退移動させる。【選択図】図１
2005313919.tif 000002
【特許請求の範囲】
【請求項１】
パウチ内に充填された流動物を開封口から絞り出すに際し、上記パウチを載置台に横臥状に載置し、該パウチの上面を絞出ロールにより載置台に向けて押圧しながら該絞出ロールをパウチの下辺部から絞出口が形成された上辺部に向けて前進移動させてパウチ内に充填された流動物を絞り出し、絞り出し後に該絞出ロールをパウチの上面から離反させた状態でパウチの上辺部から下辺部に向けて後退移動させることを特徴とするパウチ用充填物絞出方法。
【請求項２】
流動物が充填されたパウチを横臥状に載置可能な載置台と、該パウチの下辺部を挟着可能な挟着機構と、該載置台に載置されているパウチの上面を該載置台に向けて押圧可能な絞出ロールと、該絞出ロールをパウチの下辺部から絞出口が形成された上辺部及び該上辺部から下辺部に向けて往復移動可能な往復移動機構と、該絞出ロールのパウチの下辺部から上辺部に向かう前進移動時に該絞出ロールをパウチの上面に押圧すると共にパウチの上辺部から下辺部に向かう後退移動時に該絞出ロールをパウチの上面から離反させる絞出作動機構とを備えてなることを特徴とするパウチ用充填物絞出装置。
【請求項３】
上記絞出作動機構として、上記載置台に可動台及び追従台を往復移動自在に設け、該追従台に支点軸を横設し、該支点軸に支持部材を揺動自在に設け、該支持部材に上記絞出ロールを設け、該可動台にガイドロールを設け、該支持部材に該ガイドロールの摺動嵌合により該支持部材を支点軸を中心として揺動させると共に該支持部材を往復移動させるための案内溝部を設けてなることを特徴とする請求項２記載のパウチ用充填物絞出装置。
【請求項４】
上記挟着機構として、上記載置台に嵌合凹部を設け、該嵌合凹部に挟着部材を設け、該挟着部材と嵌合凹部との対向面間に挟着間隙を設け、該挟着部材を挟着動作させる挟着用バネを設け、上記可動台により該挟着部材を該挟着用バネに抗して釈放動作させるように設けてなることを特徴とする請求項３記載のパウチ用充填物絞出装置。
【請求項５】
上記往復移動機構として、ボールネジ機構を用いてなることを特徴とする請求項２〜４のいずれか１項に記載のパウチ用充填物絞出装置。
【発明の詳細な説明】
【技術分野】
【０００１】
本発明は例えば化学溶液や工業用表面処理剤等の流動物が充填されたパウチ内の流動物を絞り出す際用いられるパウチ用充填物絞出方法及びその装置に関するものである。
【背景技術】
【０００２】
従来この種のパウチは例えば化学溶液や工業用表面処理剤等の密封包装に用いられている。
【特許文献１】特開２００１−１３９０７０
【発明の開示】
【発明が解決しようとする課題】
【０００３】
しかしながら、パウチ内に充填されている流動物の粘性が高くなると、流動物をパウチから絞り出すことが困難となり、流動物がパウチ内面に付着して残量が多くなり、絞り出し効率が低下することがあるという不都合を有している。
【課題を解決するための手段】
【０００４】
本発明はこれらの不都合を解決することを目的とするもので、本発明のうちで、請求項１記載の方法の発明は、パウチ内に充填された流動物を開封口から絞り出すに際し、上記パウチを載置台に横臥状に載置し、該パウチの上面を絞出ロールにより載置台に向けて押圧しながら該絞出ロールをパウチの下辺部から絞出口が形成された上辺部に向けて前進移動させてパウチ内に充填された流動物を絞り出し、絞り出し後に該絞出ロールをパウチの上面から離反させた状態でパウチの上辺部から下辺部に向けて後退移動させることを特徴とするパウチ用充填物絞出方法にある。
【０００５】
又、請求項２記載の装置の発明は、流動物が充填されたパウチを横臥状に載置可能な載置台と、該パウチの下辺部を挟着可能な挟着機構と、該載置台に載置されているパウチの上面を該載置台に向けて押圧可能な絞出ロールと、該絞出ロールをパウチの下辺部から絞出口が形成された上辺部及び該上辺部から下辺部に向けて往復移動可能な往復移動機構と、該絞出ロールのパウチの下辺部から上辺部に向かう前進移動時に該絞出ロールをパウチの上面に押圧すると共にパウチの上辺部から下辺部に向かう後退移動時に該絞出ロールをパウチの上面から離反させる絞出作動機構とを備えてなることを特徴とするパウチ用充填物絞出装置にある。
【０００６】
又、請求項３記載の発明は、上記絞出作動機構として、上記載置台に可動台及び追従台を往復移動自在に設け、該追従台に支点軸を横設し、該支点軸に支持部材を揺動自在に設け、該支持部材に上記絞出ロールを設け、該可動台にガイドロールを設け、該支持部材に該ガイドロールの摺動嵌合により該支持部材を支点軸を中心として揺動させると共に該支持部材を往復移動させるための案内溝部を設けてなることを特徴とするものであり、又、請求項４記載の発明は、上記挟着機構として、上記載置台に嵌合凹部を設け、該嵌合凹部に挟着部材を設け、該挟着部材と嵌合凹部との対向面間に挟着間隙を設け、該挟着部材を挟着動作させる挟着用バネを設け、上記可動台により該挟着部材を該挟着用バネに抗して釈放動作させるように設けてなることを特徴とするものであり、又、請求項５記載の発明は、上記往復移動機構として、ボールネジ機構を用いてなることを特徴とするものである。
【発明の効果】
【０００７】
本発明は上述の如く、請求項１又は２記載の記載の発明にあっては、載置台に流動物が充填されたパウチを横臥状に載置すると共にパウチの下辺部を挟着機構により挟着し、往復移動機構により絞出ロールを移動し、絞出作動機構により絞出ロールがパウチの下辺部から上辺部に向かう前進移動時に絞出ロールをパウチの上面に押圧してパウチ内の流動物をしごくようにして絞出口から絞り出し、絞出完了後に移動機構により絞出ロールをパウチの上辺部から下辺部に向かって後退動作し、この後退時において、絞出作動機構は絞出ロールをパウチの上面から離反させることになり、この離反によりパウチに残った流動物のパウチの下辺部側への集積を防ぐことができ、残留物の集積によるパウチの破裂損傷を防ぐことができ、絞り出し作業性を高めることができる。
【０００８】
又、請求項３記載の発明にあっては、上記絞出作動機構として、上記載置台に可動台及び追従台を往復移動自在に設け、追従台に支点軸を横設し、支点軸に支持部材を揺動自在に設け、支持部材に上記絞出ロールを設け、可動台にガイドロールを設け、支持部材にガイドロールの摺動嵌合により支持部材を支点軸を中心として揺動させると共に支持部材を往復移動させるための案内溝部を設けてなるから、絞出ロールの圧接絞出及び離反動作を連続的に確実に行うことができ、又、請求項４記載の発明にあっては、上記挟着機構として、上記載置台に嵌合凹部を設け、嵌合凹部に挟着部材を設け、挟着部材と嵌合凹部との対向面間に挟着間隙を設け、挟着部材を挟着動作させる挟着用バネを設け、可動台により挟着部材を該挟着用バネに抗して釈放動作させるように設けてなるから、パウチの挟着及び釈放動作を絞出ロールの圧接絞出及び離反動作に対して連続的に確実に行うことができ、又、請求項５記載の発明にあっては、上記往復移動機構として、ボールネジ機構を用いてなるから、絞り出しロールの往復移動を確実に行うことができる。
【発明を実施するための最良の形態】
【０００９】
図１乃至図１３は本発明の実施の形態例を示し、１は載置台であって、図示省略の機台に取り付けられ、流動物Ｆが充填されたパウチＷを横臥状に載置可能に形成され、このパウチＷの上辺部Ｗ2に絞出口Ｗ3を切断開口している。
【００１０】
２は挟着機構、３は絞出ロール、４は往復移動機構、５は絞出作動機構であって、この場合、上記載置台１に可動台６及び追従台７をガイドレール５ａ及び摺動部５ｂにより個別に往復移動自在に設けると共に載置台１にボールネジ機構５ｃのネジ軸５ｄを横設し、ボールネジ機構５ｃの軸受部５ｅを可動台６に取付け、ネジ軸５ｄを正逆回動させる制御用モータ５ｆを設け、制御用モータ５ｆの回転をベルト伝導機構４ａを介してネジ軸５ｄを回転させるように構成している。
【００１１】
そして、この場合、図７、図８の如く、上記追従台７に支点軸８を軸受９により回転自在に横設し、支点軸８の左右両側に左右一対の支持部材１０・１０を揺動自在に設け、支持部材１０・１０の上部間に上記絞出ロール３を回転自在に横設し、一方、可動台６の左右両側に一対のガイドロール１１・１１を突設し、他方、支持部材１０・１０にガイドロール１１・１１の摺動嵌合により支持部材１０・１０を支点軸８を中心として揺動させると共に支持部材１０・１０を往復移動させるための案内溝部１２・１２を設け、支持部材１０・１０間にステー軸１０ａを掛架して構成している。
【００１２】
更に、この場合、図４、図５の如く、上記載置台１に嵌合凹部１ａを設け、嵌合凹部１ａに挟着部材１３を摺動自在に設け、挟着部材１３の前面と嵌合凹部１ａの内面との対向面間に挟着間隙Ｓを設け、載置台１の裏面に移動部材１４を載置台１の裏面にボルト１４ａにより固定されたスライドキー状のガイド片１４ｂ及び移動部材１４に形成されたガイド溝１４ｃにより摺動自在に設け、かつ、図４、図６の如く、移動部材１４にガイド長穴１４ｄを形成し、ガイド長穴１４ｄにスライドキー状のガイド片１４ｇを摺動自在に嵌合し、挟着部材１３と移動部材１４とをガイド片１４ｇに挿通したボルト１４ｅにより連結し、移動部材１４と後端面と載置台１の内面との間に挟着部材１３を挟着動作させる挟着用バネ１５を設け、移動部材１４に上記可動台６の後退時に当接可能な当接部１４ｆを設け、可動台６の後退により当接部１４ｆを介して挟着用バネ１５に抗して移動部材１４を後退移動させ、挟着部材１３を釈放動作させるように設けて構成している。
【００１３】
この実施の形態例は上記構成であるから、流動物Ｆが充填されたパウチＷの上辺部Ｗ2を切断して絞出口Ｗ3を開口形成し、図１の如く、パウチＷの下辺部Ｗ1を挟着部材１３の前側面と嵌合凹部１ａの対向側面との間の挟着間隙Ｓに挿入し、往復移動機構４の制御用モータ５ｆを駆動することによりボールネジ機構５ｃを介して可動台６を図中右方向としてのパウチＷの下辺部Ｗ1から上辺部Ｗ2に向かって前進移動し、この可動台６の前進移動により可動台７上の軸受部５ｅは移動部材１４の当接部１４ｆから離反することにより移動部材１４は挟着用バネ１５により前進してパウチＷの下辺部Ｗ1は挟着部材１３の前側面と嵌合凹部１ａの対向側面との間で挟着され、図９の如く、パウチＷを載置台１上に横臥状に載置し、可動台６の更なる前進によりガイドロール１１・１１は案内溝部１２・１２内を摺動し、ガイドロール１１・１１と案内溝部１２・１２との摺動案内カム作用により支持部材１１・１１は停止したままで支点軸８を中心として下向き揺動し、この支持部材１１・１１の下向き揺動により絞出ロール３は載置台１のパウチＷの上面に圧接され、更なる可動台６の前進によりガイドロール１１・１１は案内溝部１２・１２の前側内面に当接し、この当接により支持部材１１・１１、絞出ロール３及び追従台７は前進し、図１０の如く、絞出ロール３のパウチＷ上面への圧接及び前進移動によりパウチＷはしごかれてパウチＷ内の流動物Ｆは絞出口Ｗ3から絞り出され、流動物Ｆは容器Ｋ内に流下し、図１１の如く、可動台６の前進限においてパウチＷ内の流動物Ｆの絞り出しを完了することになる。
【００１４】
この絞出完了後に、図１２の如く、往復移動機構４により可動台６は図中左方向としてのパウチＷの上辺部Ｗ2から下辺部Ｗ1に向かって後退動作し、この後退動作によりガイドロール１１・１１は案内溝部１２・１２内を摺動し、この摺動により支持部材１０・１０は停止したまま支持部材１０・１０は支点軸８を中心として上向き揺動し、この上向き揺動により絞出ロール３はパウチＷの上面から離反し、更なる可動台６の後退によりガイドロール１１・１１は案内溝部１２・１２の後側内面に当接し、この当接により支持部材１１・１１、絞出ロール３及び追従台７は後退し、更なる可動台６の後退により可動台６の軸受５ｅは移動部材１４の当接部１４ｆに当接し、この当接により移動部材１４は挟着用バネ１５に抗して後退移動し、この後退移動により吸着部材１３は後退して挟着間隙Ｓが形成され、パウチＷの下辺部Ｗ1は釈放され、絞出後のパウチＷを取り外すことになる。
【００１５】
従って、載置台１に流動物Ｆが充填されたパウチＷを横臥状に載置すると共にパウチの下辺部Ｗ1を挟着機構２により挟着し、往復移動機構４により絞出ロール３を移動し、絞出作動機構５により絞出ロール３がパウチＷの下辺部Ｗ1から上辺部Ｗ2に向かう前進移動時に絞出ロール３をパウチＷの上面に押圧してパウチ内Ｗ内の流動物Ｆをしごくようにして絞出口Ｗ3から絞り出し、絞出完了後に移動機構４により絞出ロール３をパウチＷの上辺部Ｗ2から下辺部Ｗ1に向かって後退動作し、この後退時において、絞出作動機構５は絞出ロール３をパウチＷの上面から離反させることになり、この離反によりパウチＷに残った流動物ＦのパウチＷの下辺部Ｗ1側への集積を防ぐことができ、残留物の集積によるパウチＷの破裂損傷を防ぐことができ、絞り出し作業性を高めることができる。
【００１６】
又、この場合、上記絞出作動機構５として、上記載置台１に可動台６及び追従台７を往復移動自在に設け、追従台７に支点軸８を横設し、支点軸８に支持部材１０を揺動自在に設け、支持部材１０に上記絞出ロール３を設け、可動台６にガイドロール１１を設け、支持部材１０にガイドロール１１の摺動嵌合により支持部材１０を支点軸８を中心として揺動させると共に支持部材１０を往復移動させるための案内溝部１２を設けてなるから、絞出ロール３の圧接絞出及び離反動作を連続的に確実に行うことができ、又、この場合、上記挟着機構２として、上記載置台１に嵌合凹部１ａを設け、嵌合凹部１ａに挟着部材１３を設け、挟着部材１３と嵌合凹部１ａとの対向面間に挟着間隙Ｓを設け、挟着部材１３を挟着動作させる挟着用バネ１５を設け、可動台６により挟着部材１３を該挟着用バネ１５に抗して釈放動作させるように設けてなるから、パウチＷの挟着及び釈放動作を絞出ロール３の圧接絞出及び離反動作に対して連続的に確実に行うことができ、又、この場合、上記往復移動機構４として、ボールネジ機構５ｃを用いてなるから、絞り出しロール３の往復移動を確実に行うことができる。
【００１７】
尚、本発明は上記実施の形態例に限られるものではなく、往復移動機構４、絞出作動機構５、挟着機構２、絞出ロール３の形状や構造等は適宜設計して変更される。
【００１８】
以上、所期の目的を充分達成することができる。
【図面の簡単な説明】
【００１９】
【図１】本発明の実施の形態例の側断面図である。
【図２】本発明の実施の形態例の平面図である。
【図３】本発明の実施の形態例の拡大側断面図である。
【図４】本発明の実施の形態例の部分平断面図である。
【図５】本発明の実施の形態例の部分拡大断面図である。
【図６】本発明の実施の形態例の部分拡大断面図である。
【図７】本発明の実施の形態例の拡大側断面図である。
【図８】本発明の実施の形態例の拡大側断面図である。
【図９】本発明の実施の形態例の側断面図である。
【図１０】本発明の実施の形態例の側断面図である。
【図１１】本発明の実施の形態例の側断面図である。
【図１２】本発明の実施の形態例の側断面図である。
【図１３】パウチの正面図である。
【符号の説明】
【００２０】
Ｗ    パウチ
Ｗ1    下辺部
Ｗ2    上辺部
Ｗ3    絞出口
Ｓ    挟着間隙
Ｆ    流動物
１    載置台
２    挟着機構
３    絞出ロール
４    往復移動機構
５    絞出作動機構
５ｃ    ボールネジ機構
６    可動台
７    追従台
８    支点軸
１０    支持部材
１１    ガイドロール
１２    案内溝部
１３    挟着部材
【図１】
2005313919.tif 000003
【図２】
2005313919.tif 000004
【図３】
2005313919.tif 000005
【図４】
2005313919.tif 000006
【図５】
2005313919.tif 000007
【図６】
2005313919.tif 000008
【図７】
2005313919.tif 000009
【図８】
2005313919.tif 000010
【図９】
2005313919.tif 000011
【図１０】
2005313919.tif 000012
【図１１】
2005313919.tif 000013
【図１２】
2005313919.tif 000014
【図１３】
2005313919.tif 000015